【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
第１のバルブ要素および第２のバルブ要素を有するバルブであって、
上記第１のバルブ要素は、バルブ本体、シール部材、および、当該バルブ本体に対して相対的に、実質的に固定であるように上記バルブ本体に固定されている中央ポストを有し、
上記シール部材は上記第１のバルブ要素の係合面から離れて位置し、上記中央ポストの回りに上記係合面との間に空間が設けられ、
上記空間は上記第２のバルブ要素からの空洞のチューブを収容する寸法及び形状を伴い、
上記空洞のチューブが上記第１のバルブ要素に押し込まれるときに、上記チューブが上記シール部材をシール位置から遠ざけて両バルブ要素を通じる流路を形成することを特徴とするバルブ。
【請求項２】
上記中央ポストは上記バルブ本体と一体である請求項１記載のバルブ。
【請求項３】
上記流路は、上記チューブおよび上記中央ポストの間ならびに上記中央ポストおよび上記バルブ本体の間の経路を有する請求項１記載のバルブ。
【請求項４】
上記シール部材は、Ｏ−リング、弾性シール、シール面、ワッシャー、オーバーモールド弾性部分、平坦Ｏ−リング、非平坦Ｏ−リング、リップワッシャー、および弾性ボールからなるグループから選択される請求項１記載のバルブ。
【請求項５】
上記第１のバルブ要素は、上記バルブ本体に固着された第２の中央ポスト、および上記係合面から離れて位置する第２のシール部材を有し、
上記第２の中央ポストの回りに第２の空間が設けられ、
上記第２のバルブ要素は、上記第２の空間に入って両バルブ要素を通じる第２の流路を開にする寸法および形状を伴う第２のチューブを有する請求項１記載のバルブ。
【請求項６】
上記第２の中央ポストは上記中央ポストの回りに同芯的に位置決めされ、上記第２の空間は上記空間の回りに同芯的に位置決めされる請求項５記載のバルブ。
【請求項７】
上記流路及び上記第２の流路は逆方向である請求項５記載のバルブ。
【請求項８】
シール部材が上記バルブ本体と上記中央ポストとの間のシールを実現する請求項１記載のバルブ。
【請求項９】
上記第１のバルブ要素は、さらに、上記バルブ本体および上記中央ポストの間に第２のシール部材を有し、上記第２のバルブ要素の上記空洞のチューブが上記第２のシール部材を移動させて上記流路を形成する請求項１または８記載のバルブ。
【請求項１０】
上記第２のバルブ要素はさらにバルブ本体、シール部材、および、当該バルブ本体に対して相対的に、実質的に固定であるようにバルブ本体に固定されている中央ポストを有する請求項１記載のバルブ。
【請求項１１】
上記空洞のチューブが上記第２のバルブ要素の上記バルブ本体に対して移動可能であり、上記第２のバルブ要素の上記シール部材を押圧し、上記第２のバルブ要素を通じる流路を形成するようになす請求項１０記載のバルブ。
【請求項１２】
上記第２のバルブ要素はさらに第２の空洞のチューブを有し、上記第２の空洞のチューブが上記第２のバルブ要素の上記バルブ本体に対して移動可能であり、上記第２のバルブ要素の上記シール部材を押圧するようになす請求項１０記載のバルブ。
【請求項１３】
上記第１のバルブ要素は、燃料サプライ、または、燃料電池、燃料電池により給電される装置、再充填装置、および圧力調整器からなるグループから選択されたデバイスのいずれか一方に結合され、上記第２のバルブ要素は、燃料サプライまたは上記デバイスのいずれか他方に接続される請求項１記載のバルブ。
【請求項１４】
上記シール部材は圧縮時に自己排出機構を伴う請求項１記載のバルブ。
【請求項１５】
上記第１および上記第２のバルブ要素の間に要素間シールが形成される請求項１記載のバルブ。
【手続補正２】
【補正対象書類名】明細書
【補正対象項目名】００４５
【補正方法】変更
【補正の内容】
【００４５】
この明細書および例は例示としてのみ意図されており、この発明の本来の範囲および趣旨は以下の特許請求の範囲およびその均等物により示される。この発明の他の実施例が、ここで開示された、この発明の当該明細書およびその実施を考慮して、当業者には明らかであろう。さらに、１つの実施例の要素または特徴を他の実施例に採用できる。
なお、以下に、上述実施例の技術的な特徴を列挙する。
［技術的特徴１］
第１および第２のバルブ要素を有するバルブであって、
上記第１のバルブ要素は、バルブ本体、シール部材、および、当該バルブ本体に対して相対的に、実質的に固定であるように上記バルブ本体に固定されている中央ポストを有し、
上記シール部材は上記第１のバルブ要素の係合面から離れて位置し、上記中央ポストの回りに上記係合面との間に空間が設けられ、
上記空間は上記第２のバルブ要素からの空洞のチューブを収容する寸法及び形状を伴い、
上記空洞のチューブが上記第１のバルブ要素に押し込まれるときに、上記チューブが上記シール部材をシール位置から遠ざけて両バルブ要素を通じる流路を形成することを特徴とするバルブ。
［技術的特徴２］
上記中央ポストは上記バルブ本体と一体である技術的特徴１記載のバルブ。
［技術的特徴３］
上記流路は、上記チューブおよび上記中央ポストの間ならびに上記中央ポストおよび上記バルブ本体の間の経路を有する技術的特徴１記載のバルブ。
［技術的特徴４］
上記シール部材は、Ｏ−リング、弾性シール、シール面、ワッシャー、オーバーモールド弾性部分、平坦Ｏ−リング、非平坦Ｏ−リング、リップワッシャー、および弾性ボールからなるグループから選択される技術的特徴１記載のバルブ。
［技術的特徴５］
上記第１のバルブ要素は、上記バルブ本体に固着された第２の中央ポスト、および上記係合面から離れて位置する第２のシール部材を有し、
上記第２の中央ポストの回りに第２の空間が設けられ、
上記第２のバルブ要素は、上記第２の空間に入って両バルブ要素を通じる第２の流路を開にする寸法および形状を伴う第２のチューブを有する技術的特徴１記載のバルブ。
［技術的特徴６］
上記第２の中央ポストは上記中央ポストの回りに同芯的に位置決めされ、上記第２の空間は上記空間の回りに同芯的に位置決めされる技術的特徴５記載のバルブ。
［技術的特徴７］
上記流路及び上記第２の流路は逆方向である技術的特徴５記載のバルブ。
［技術的特徴８］
シール部材が上記バルブ本体と上記中央ポストとの間のシールを実現する技術的特徴１記載のバルブ。
［技術的特徴９］
上記第１のバルブ要素は、さらに、上記バルブ本体および上記中央ポストの間に第２のシール部材を有し、上記第２のバルブ要素の上記空洞のチューブが上記第２のシール部材を移動させて上記流路を形成する技術的特徴１または８記載のバルブ。
［技術的特徴１０］
上記第２のバルブ要素はさらにバルブ本体、シール部材、および、当該バルブ本体に対して相対的に、実質的に固定であるようにバルブ本体に固定されている中央ポストを有する技術的特徴１記載のバルブ。
［技術的特徴１１］
上記空洞のチューブが上記第２のバルブ要素の上記バルブ本体に対して移動可能であり、上記第２のバルブ要素の上記シール部材を押圧し、上記第２のバルブ要素を通じる流路を形成するようになす技術的特徴１０記載のバルブ。
［技術的特徴１２］
上記第２のバルブ要素はさらに第２の空洞のチューブを有し、上記第２の空洞のチューブが上記第２のバルブ要素の上記バルブ本体に対して移動可能であり、上記第２のバルブ要素の上記シール部材を押圧するようになす技術的特徴１０記載のバルブ。
［技術的特徴１３］
上記第２の空洞のチューブは上記空洞のチューブの回りに同芯的に位置決めされる技術的特徴１２記載のバルブ。
［技術的特徴１４］
上記空洞のチューブは上記第２のバルブ要素の上記バルブ本体に固定して結合される技術的特徴１３記載のバルブ。
［技術的特徴１５］
上記第１のバルブ要素は、燃料サプライ、または、燃料電池、燃料電池により給電される装置、再充填装置、および圧力調整器からなるグループから選択されたデバイスのいずれか一方に結合され、上記第２のバルブ要素は、燃料サプライまたは上記デバイスのいずれか他方に接続される技術的特徴１記載のバルブ。
［技術的特徴１６］
上記シール部材は圧縮時に自己排出機構を伴う技術的特徴１記載のバルブ。
［技術的特徴１７］
上記第１および第２のバルブ要素における上記流路は同時に開になる技術的特徴１１記載のバルブ。
［技術的特徴１８］
上記第１および第２のバルブ要素における上記流路は逐次的に開になる技術的特徴１１記載のバルブ。
［技術的特徴１９］
上記第１および上記第２のバルブ要素の間に要素間シールが形成される技術的特徴１記載のバルブ。